(57)【特許請求の範囲】
【請求項１】
時刻信号を含む電波信号を受信して時刻設定を行い、ステップモータを駆動パルスの出力タイミングで駆動することにより運針する電波修正時計において、
前記電波信号中の秒信号を検出するときに、前記駆動パルスの出力タイミングをずらして非１秒周期の出力タイミングとすると共に、一定時間における前記駆動パルスの発生間隔の平均が１秒となるように設定して、前記秒信号の発生タイミングとの重なりを少なくすることを特徴とする電波修正時計の運針方法。
【請求項２】
時刻信号を含む電波信号を受信して時刻設定を行い、ステップモータを駆動パルスの出力タイミングで駆動することにより運針する電波修正時計において、
前記電波信号中の秒信号から得られた秒タイミングに対し、前記駆動パルスの出力タイミングを１秒未満の一定時間ずらした１秒周期の出力タイミングに設定し、前記秒信号の発生タイミングとの重なりをなくすことを特徴とする電波修正時計の運針方法。
【請求項３】
時刻信号を含む電波信号を受信して時刻設定を行い、ステップモータを駆動パルスの出力タイミングで駆動することにより運針する電波修正時計において、
前記電波信号中の秒信号を検出するときには、前記駆動パルスの出力タイミングをずらして非１秒周期の出力タイミングとすると共に、一定時間における前記駆動パルスの発生間隔の平均が１秒となるように設定して、前記秒信号の発生タイミングとの重なりを少なくし、
前記電波信号中の秒信号を検出した後には、該秒信号から得られた秒タイミングに対し、前記駆動パルスの出力タイミングを１秒未満の一定時間ずらした１秒周期の出力タイミングに設定し、前記秒信号の発生タイミングとの重なりをなくすことを特徴とする電波修正時計の運針方法。
【請求項４】
時刻信号を含む電波信号を受信して時刻設定を行い、ステップモータを駆動パルスの出力タイミングで駆動することにより運針する電波修正時計において、
前記電波信号中の秒信号を検出する秒信号検出手段と、
該秒信号検出手段が前記秒信号を検出するときに、前記駆動パルスの出力タイミングをずらして非１秒周期の出力タイミングとすると共に、一定時間における前記駆動パルスの発生間隔の平均が１秒となるように設定して、前記秒信号の発生タイミングとの重なりを少なくする駆動パルス出力手段と、
を備えることを特徴とする電波修正時計。
【請求項５】
時刻信号を含む電波信号を受信して時刻設定を行い、ステップモータを駆動パルスの出力タイミングで駆動することにより運針する電波修正時計において、
前記電波信号中の秒信号を検出する秒信号検出手段と、
該秒信号検出手段が前記電波信号中の秒信号を検出すると、該秒信号から得られた秒タイミングに対し、前記駆動パルスの出力タイミングを１秒未満の一定時間ずらした１秒周期の出力タイミングに設定し、前記秒信号の発生タイミングとの重なりをなくす駆動パルス出力手段と、
を備えることを特徴とする電波修正時計。
【請求項６】
時刻信号を含む電波信号を受信して時刻設定を行い、ステップモータを駆動パルスの出力タイミングで駆動することにより運針する電波修正時計において、
前記電波信号中の秒信号を検出する秒信号検出手段と、
該秒信号検出手段が前記秒信号を検出するときに、前記駆動パルスの出力タイミングをずらして非１秒周期の出力タイミングとすると共に、一定時間における前記駆動パルスの発生間隔の平均が１秒となるように設定して、前記秒信号の発生タイミングとの重なりを少なくし、前記秒信号検出手段が前記電波信号中の秒信号を検出すると、該秒信号から得られた秒タイミングに対し、前記駆動パルスの出力タイミングを１秒未満の一定時間ずらした１秒周期の出力タイミングに設定し、前記秒信号の発生タイミングとの重なりをなくす駆動パルス出力手段と、を備えることを特徴とする電波修正時計。
【発明の詳細な説明】
【０００１】
【発明の属する技術分野】
本発明は、時刻信号を含む電波信号（時刻標準電波信号）を受信し、その時刻信号に基づいて時刻を設定する電波修正時計に関するものであり、特に、ステップモータを用いたアナログ表示式の電波修正時計におけるステップモータが発するノイズが受信感度に与える悪影響を軽減する方法に関する。
【０００２】
【従来の技術】
ステップモータを用いたアナログ表示式の電波修正時計においては、ステップモータが作動するときにモータ内のコイルに生じる磁界によるノイズが発生する。このノイズが電波信号に影響して受信感度が低下し、正確に電波信号を受信することができなくなることがあった。
【０００３】
そこで、従来のこの種の電波修正時計においては、ステップモータの駆動回路に作動タイミングを示す駆動パルスを供給するステップモータ駆動出力端にコンデンサを接続し、ステップモータに生じる逆起電力によるノイズの放射を押えることが行われている。
【０００４】
また、実開平５−８１７８６号公報に開示されているように、電波信号受信中には、ステップモータを停止させて、電力消費とノイズの発生を低減することが行われていた。
【０００５】
【発明が解決しようとする課題】
上記のように、ステップモータ駆動出力端にコンデンサを接続する従来技術においては、消費電流が上昇して、電力消費が増えると共に、完全にノイズの放射を押えることはできないという課題があった。
【０００６】
また、受信中にステップモータを停止させる従来技術においては、故障あるいは電池切れ等と間違えることがあり、更に、受信中に秒表示をすることができないという課題があった。
【０００７】
本発明は、上記従来技術の課題に鑑みなされたもので、ステップモータによるノイズの影響を受けにくい電波修正時計及びその運針方法を提供するものである。
【０００８】
【課題を解決するための手段】
本発明の電波修正時計の運針方法は、時刻信号を含む電波信号を受信して時刻設定を行い、ステップモータを駆動パルスの出力タイミングで駆動することにより運針する電波修正時計において、前記電波信号中の秒信号を検出するときに、前記駆動パルスの出力タイミングをずらして非１秒周期の出力タイミングとすると共に、一定時間における前記駆動パルスの発生間隔の平均が１秒となるように設定することであり、これにより前記秒信号の発生タイミングとの重なりを少なくしている。
【０００９】
また、本発明の電波修正時計の運針方法は、時刻信号を含む電波信号を受信して時刻設定を行い、ステップモータを駆動パルスの出力タイミングで駆動することにより運針する電波修正時計において、前記電波信号中の秒信号から得られた秒タイミングに対し、前記駆動パルスの出力タイミングを１秒未満の一定時間ずらした１秒周期の出力タイミングに設定することであり、これにより前記秒信号の発生タイミングとの重なりをなくしている。
【００１０】
更に、本発明の電波修正時計の運針方法は、時刻信号を含む電波信号を受信して時刻設定を行い、ステップモータを駆動パルスの出力タイミングで駆動することにより運針する電波修正時計において、前記電波信号中の秒信号を検出するときには、前記駆動パルスの出力タイミングをずらして非１秒周期の出力タイミングとすると共に、一定時間における前記駆動パルスの発生間隔の平均が１秒となるように設定し、前記電波信号中の秒信号を検出した後には、該秒信号から得られた秒タイミングに対し、前記駆動パルスの出力タイミングを１秒未満の一定時間ずらした１秒周期の出力タイミングに設定することであり、これにより前記秒信号の発生タイミングとの重なりを少なくすると共に前記秒信号の発生タイミングとの重なりをなくしている。
【００１１】
一方、本発明の電波修正時計は、時刻信号を含む電波信号を受信して時刻設定を行い、ステップモータを駆動パルスの出力タイミングで駆動することにより運針する電波修正時計において、前記電波信号中の秒信号を検出する秒信号検出手段と、該秒信号検出手段が前記秒信号を検出するときに、前記駆動パルスの出力タイミングをずらして非１秒周期の出力タイミングとすると共に、一定時間における前記駆動パルスの発生間隔の平均が１秒となるように設定して、前記秒信号の発生タイミングとの重なりを少なくする駆動パルス出力手段と、を備えている。
【００１２】
また、本発明の電波修正時計は、時刻信号を含む電波信号を受信して時刻設定を行い、ステップモータを駆動パルスの出力タイミングで駆動することにより運針する電波修正時計において、前記電波信号中の秒信号を検出する秒信号検出手段と、該秒信号検出手段が前記電波信号中の秒信号を検出すると、該秒信号から得られた秒タイミングに対し、前記駆動パルスの出力タイミングを１秒未満の一定時間ずらした１秒周期の出力タイミングに設定し、前記秒信号の発生タイミングとの重なりをなくす駆動パルス出力手段と、を備えている。
【００１３】
更に、本発明の電波修正時計は、時刻信号を含む電波信号を受信して時刻設定を行い、ステップモータを駆動パルスの出力タイミングで駆動することにより運針する電波修正時計において、前記電波信号中の秒信号を検出する秒信号検出手段と、該秒信号検出手段が前記秒信号を検出するときに、前記駆動パルスの出力タイミングをずらして非１秒周期の出力タイミングとすると共に、一定時間における前記駆動パルスの発生間隔の平均が１秒となるように設定して、前記秒信号の発生タイミングとの重なりを少なくし、前記秒信号検出手段が前記電波信号中の秒信号を検出すると、該秒信号から得られた秒タイミングに対し、前記駆動パルスの出力タイミングを１秒未満の一定時間ずらした１秒周期の出力タイミングに設定し、前記秒信号の発生タイミングとの重なりをなくす駆動パルス出力手段と、を備えている。
【００１４】
【発明の実施の形態】
本発明の電波修正時計の運針方法においては、ステップモータの駆動タイミングを設定する駆動パルスの出力タイミングを可変することで、電波信号の秒信号にステップモータの駆動が重ならないようにしている。
【００１５】
即ち、駆動パルスの出力タイミングが通常１秒周期であるのを、少しずつ出力タイミングをずらすことにより非１秒周期の出力タイミングとし、更に、一定時間における駆動パルスの発生間隔の平均が１秒となるように設定している。これにより、電波信号の秒信号が１秒周期であるのに対し、駆動パルスの出力タイミングが非１秒周期であるため、駆動パルスが秒信号に完全に重なることがなくなり、重なって発生する場合があっても長く続くことがない。従って、ステップモータが作動して発生するノイズと電波信号の秒信号との重なりを最小限にすることができ、ノイズの影響を受けにくくなる。
【００１６】
また、秒信号を検出した後は、この秒信号と同時に駆動パルスが発生することを防ぐため、駆動パルスの出力タイミングを秒信号に対して１秒未満の一定時間ずらした１秒周期に設定することにより、秒信号と重なって発生することを防いでいる。
【００１７】
また、本発明の電波修正時計においては、受信した信号の処理及び運針の制御を行う制御部に設けた駆動パルス出力手段にて、秒信号の検出中と検出後に、それぞれ上記運針方法に従って駆動パルスを出力し、ステップモータの駆動を制御している。これにより、秒信号とステップモータの動作が重なることが殆どなくなり、ステップモータが発生するノイズによる受信感度の低下を防ぐことができる。
【００１８】
【実施例】
以下、本発明の実施例を説明する。図１は本発明の一実施例に係る電波修正時計の概略構成を示すブロック図、図２はその制御部における要部の機能説明図、図３及び図４は本発明の運針方法における駆動パルスの出力タイミングを示すタイムチャートである。
【００１９】
はじめに電波修正時計の構成を説明する。図１において、２は受信回路であり、受信アンテナ４を介して時刻信号を含む電波信号を受信し、所定の信号処理を行ってパルス信号からなる時刻信号を出力するものである。
【００２０】
電波信号は、図４（ａ）に示すように、１秒間に４０ＫＨｚの信号が０．５秒送信されると「１」を示し、０．８秒送信されると「０」を示し、０．２秒送信されると「Ｐ」（情報の区切りを示すマーカー）を示すように設定されており、これらが組み合わされて１ｂｉｔ／秒で１分を１フレームとする時刻に関する情報を構成している。
【００２１】
受信回路２は、上記電波信号を受信して４０ＫＨｚの信号の有無に応じたパルス信号（図４（ｂ））を出力する。このパルス信号は、図４（ｂ）に示すように、電波信号に４０ＫＨｚの信号が発生するとＬレベルに立ち下がるように設定されているため、その立ち下がりから次の立ち下がり（４０ＫＨｚ信号の発生から次の４０ＫＨｚ信号の発生）までの間隔が１秒となり、この立ち下がりが秒信号となる。
【００２２】
６はマイコンからなる制御部であり、受信回路２からのパルス信号からなる時刻信号を入力して時刻設定を行うと共に駆動パルスを出力するものである。
【００２３】
８は駆動回路、１０はステップモータである。駆動回路８は、制御部６からの駆動パルスに応答してステップモータ１０に電流を供給して駆動するものであり、ステップモータ１０は駆動パルスの出力タイミングに応じて作動することになる。
【００２４】
１２は時針、分針及び秒針からなる指針とそれらを駆動する輪列からなる指針表示機構であり、ステップモータ１０により駆動される。
【００２５】
前述した制御部６の要部は図２に示すような機能構成となっている。秒信号検出手段１４は、受信回路２が出力する図４（ｂ）に示す信号の立ち下がりを検出することで１秒周期の秒信号とするものである。駆動パルス出力手段１６は、秒信号検出手段１４が検出中あるいは検出後において、ステップモータ１０の駆動タイミングを示す駆動パルスの出力タイミングを秒信号に重ならないように可変して出力するものである。
【００２６】
この駆動パルス出力手段１６は、秒信号検出手段１４が秒信号検出中に少しずつ駆動パルスの出力タイミングをずらすと共に一定時間における駆動パルスの発生間隔の平均が１秒となるように設定する出力タイミング可変設定手段１８と、秒信号検出手段１４が秒信号を検出した後にその秒信号に対して１秒未満の一定時間ずらして１秒周期で駆動パルスの出力タイミングを設定する出力タイミング設定手段２０と、これら出力タイミング可変設定手段１８と出力タイミング設定手段２０によりそれぞれ設定される出力タイミングで駆動パルスを出力するパルス発生手段２２と、を有している。
【００２７】
次に、上記構成からなる制御部６の動作と運針方法を説明する。電波信号の受信を開始し、秒信号検出手段１４が受信回路２の出力信号から秒信号を検出している間は、秒信号と駆動パルスが重なって発生するか否か不明であるため、このような検出中の場合には、図３に示すように、出力タイミング可変設定手段１８が少しずつ駆動パルスの出力タイミングをずらすように設定する。即ち、図３に示すように、例えば１秒周期から−０．１秒ずつ出力タイミングをずらすと、駆動パルスＡが発生してから０．９秒後に駆動パルスＢが発生し、順次その間隔が短くなるように設定される。そして、例えば１秒周期よりも−０．４秒ずれて発生した５番目の駆動パルスＸの次の駆動パルスＹを＋０．４秒ずらして発生させることにより、駆動パルスＡ〜Ｙまでの５秒間のパルス間隔の平均は１秒となる。従って、この駆動パルスの出力タイミングでステップモータ１０が駆動され、秒針が運針されると、０秒位置から４秒位置までは徐々に早く運針され、４秒位置から５秒位置までは早く運針された分だけ遅く運針されることになる。これにより、非１秒周期でありながら、０秒位置から５秒位置まで５秒間で運針することになる。
【００２８】
尚、この出力タイミング可変設定手段１８が設定する出力タイミングは、一定時間におけるパルス間隔の平均が１秒となるように設定されれば良いものであり、１０秒間の平均、あるいは１分間の平均であっても良いし、また少しずつずらす時間も必ずしも一定である必要はないものであり、プラス・マイナス何れにずらしても良いものとなっている。
【００２９】
一方、秒信号検出手段１４が秒信号を検出すると、図４（ｃ）に示すように、１秒周期の秒信号に対し、出力タイミング設定手段２０が＋０．８秒ずらすと共に１秒周期となるように駆動パルスの出力タイミングを設定する。図４（ａ）に示すように、電波信号の４０ＫＨｚ信号の送信時間は、最長のもので０．８秒であるため、駆動パルスを秒信号に対して＋０．８秒ずらすことにより、４０ＫＨｚ信号に重ならないようにステップモータ１０を駆動することができる。また、駆動パルスは１秒周期で出力されるため、秒針は１秒毎に運針され、このような運針時に電波信号に４０ＫＨｚ信号が送信されていないため、ノイズが電波信号の受信感度に影響を与えることはない。
【００３０】
尚、本実施例においては、秒信号検出後の駆動パルスの出力タイミングを秒信号に対して＋０．８秒ずらしているが、０．８秒以上１秒未満の範囲であれば、電波信号の４０ＫＨｚ信号に重なることがないため、任意に設定することができる。
【００３１】
【発明の効果】
本発明によれば、電波信号の秒信号の検出中にステップモータの駆動タイミングを設定する駆動パルスの出力タイミングを少しずつずらして非１秒周期の信号とすることにより、１秒周期の秒信号との重なりを最小限にして、ステップモータが発するノイズの影響を最小限に押えて、受信感度を高めることができる。
【００３２】
また、電波信号の秒信号を検出した後に、その秒信号に対して駆動パルスを一定時間ずらした１秒周期の信号とすることにより、ステップモータが発するノイズが秒信号に重なることがなく、受信感度をより高めることができる。
【図面の簡単な説明】
【図１】本発明の一実施例に係る電波修正時計の概略構成を示すブロック図である。
【図２】図１に示す制御部における要部の機能説明図である。
【図３】本発明の運針方法における駆動パルスの出力タイミングを示すタイムチャートである。
【図４】本発明の運針方法における駆動パルスの出力タイミングを示すタイムチャートであり、（ａ）電波信号の波形と４０ＫＨｚ信号の発生タイミングを示すタイムチャート、（ｂ）受信回路の出力信号のタイムチャート、（ｃ）駆動パルスの出力タイミングを示す示すタイムチャートである。
【符号の説明】
２              受信回路
６              制御部
８              駆動回路
１０            ステップモータ
１２            指針表示機構
１４            秒信号検出手段
１６            駆動パルス出力手段
１８            出力タイミング可変設定手段
２０            出力タイミング設定手段
２２            パルス発生手段
【図１】
0003576079.tif 000002
【図２】
0003576079.tif 000003
【図３】
0003576079.tif 000004
【図４】
0003576079.tif 000005